(57)【要約】【課題】耕耘軸に取付けた複数の耕耘爪からなる耕耘ロータと耕耘軸の左右両端に設けた円盤状側板により圃場を耕起する歩行型管理機においては、耕起作業を行う対象土壌の硬軟による前記耕耘ロータの浮き沈みを、オペレータが運転ハンドルを操作して調整しなければならず、オペレータの作業負荷が大きくなるという問題がある。【解決手段】耕耘軸８の左右両端に設けた円盤状側板１０Ｌ，１０Ｒの中心側から外周に向けて、該円盤状側板１０Ｌ，１０Ｒの回転方向上手側と回転方向下手側で非対称な山形状突起Ｐを所定の間隔を置いて形成すると共に、前記左右の円盤状側板１０Ｌ，１０Ｒを耕起作業を行う対象土壌の硬軟に応じて互いに組替え可能に構成した。【選択図】　　　図３
2004073095.tif 000002
【特許請求の範囲】
【請求項１】
耕耘軸（８）に取付けた複数の耕耘爪（９ａ）と耕耘軸（８）の左右両端に設けた円盤状側板（１０Ｌ，１０Ｒ）により圃場を耕起する歩行型管理機（１）において、前記円盤状側板（１０Ｌ，１０Ｒ）の中心側から外周に向けて、該円盤状側板（１０Ｌ，１０Ｒ）の回転方向上手側と回転方向下手側で断面形状の異なる突起（Ｐ）を形成すると共に、耕起作業を行う対象土壌の硬軟に応じて、前記左右の円盤状側板（１０Ｌ，１０Ｒ）を互いに組替え可能に構成したことを特徴とする歩行型管理機。
【請求項２】
円盤状側板（１０Ｌ，１０Ｒ）の回転方向上手側と回転方向下手側で非対称な山形状突起（Ｐ）を所定の間隔を置いて形成したことを特徴とする請求項１記載の歩行型管理機。
【発明の詳細な説明】
【０００１】
【発明の属する技術分野】
本発明は、圃場の耕起作業や除草作業等が可能な歩行型管理機に関し、詳しくは耕耘軸の左右両端に取付けた円盤状側板に関するものである。
【０００２】
【従来の技術】
従来、この種の歩行型管理機は、耕起作業や播種作業の他、除草作業や培土作業、畝立て、マルチ等の管理作業に幅広く利用されていて、例えば耕起作業においては、耕耘軸に取付けた複数の耕耘爪からなる耕耘ロータを低速で回転させると共に、後部ヒッチに抵抗棒を装着してハンドルの上下操作により耕耘ロータの前進力を適当に制御すると、耕耘ロータは耕土中に沈下して耕耘ができるようになる。
そして、前記耕耘ロータの左右両端には、耕起作業時に耕土中に食い込んで推進力を発揮しながら雑草を削り取ると共に、作業境界の目安にもなる円盤状側板が取付けられている。
【０００３】
【発明が解決しようとする課題】
ところが、耕起作業を行う対象土壌が火山灰土、砂地、湿田等のように軟らかい場合は、上記従来の円盤状側板が耕土中に深く食い込んで耕耘ロータが沈みがちとなり耕耘抵抗が増大するので、その場合、オペレータは運転ハンドルを持ち上げ気味に操作して機体を浮かせなければならず、オペレータの作業負荷が大きくなるという問題があった。
また、反対に耕起作業を行う対象土壌が硬い場合においては、前記円盤状側板は耕土中に食い込み難いことから耕耘ロータが耕耘反力によって浮きがちとなり、オペレータは運転ハンドルを押さえつけながらの作業を強いられるので、やはりオペレータの作業負荷が大きくなるという問題があった。
【０００４】
【課題を解決するための手段】
本発明は、上記課題を解決することを目的として創案したものであって、耕耘軸に取付けた複数の耕耘爪と耕耘軸の左右両端に設けた円盤状側板により圃場を耕起する歩行型管理機において、前記円盤状側板の中心側から外周に向けて、該円盤状側板の回転方向上手側と回転方向下手側で断面形状の異なる突起を形成すると共に、耕起作業を行う対象土壌の硬軟に応じて、前記左右の円盤状側板を互いに組替え可能に構成したことを第１の特徴としている。
【０００５】
そして、円盤状側板の回転方向上手側と回転方向下手側で非対称な山形状突起を所定の間隔を置いて形成したことを第２の特徴としている。
【０００６】
【発明の実施の形態】
以下、本発明の一実施形態を図面に基づいて説明する。図１及び図２は、本発明に係る歩行型管理機１の外観を示すもので、機体フレーム２にミッションケース３を上下方向に傾斜させて配設すると共に、該ミッションケース３の上部には動力源であるエンジン４を搭載している。
【０００７】
前記ミッションケース３の上部及びエンジン４の左側面には、該エンジン４の動力をミッションケース３の入力軸（不図示）に伝達するベルト伝動装置（不図示）と、該ベルト伝動装置を被包するベルトカバー５を設けている。
そして、前記エンジン４の上部には燃料タンク６を配設すると共に、該燃料タンク６の周囲を覆うプラスチック製のエンジンカバー（ボンネット）７を取付けている。
【０００８】
また、前記ミッションケース３の下方部には、エンジン４の出力によって駆動する耕耘軸８が機体の左右方向に延設してあり、該耕耘軸８には耕耘ロータ９を構成する耕耘爪（ロータリ爪）９ａを複数箇所取付けてある。
そして、前記耕耘軸８の左右両端には、円盤状側板１０Ｌ，１０Ｒを夫々取付けてある。
【０００９】
また、前記ミッションケース３の中途部から後方に向けヒッチ１１を延設し、該ヒッチ１１に抵抗棒１２を下方に向けて突設している。
そして、前記エンジン４の下方には、耕耘爪（ロータリ爪）９ａによる泥土の跳ね上がりを防止する盤状のフェンダ１３を設けている。
【００１０】
一方、前記ミッションケース３の後部から斜め後方に向けてハンドルフレーム１４を突設し、更に該ハンドルフレーム１４から機体後方に向け左右のハンドル１５Ｌ，１５Ｒを延設してある。
そして、前記左ハンドル１５Ｌには、主クラッチレバー１６を設けると共に、右ハンドル１５Ｒには、後進クラッチレバー（不図示）を配設してある。
【００１１】
また、前記左右のハンドル１５Ｌ，１５Ｒは、上下調節グリップ１８を介して上下調節自在にハンドルフレーム１４に連結してあり、前記歩行型管理機１を運転するオペレータの体格や作業内容によって、適宜上下調節が行えるようにしてある。
【００１２】
ところで、上述した歩行型管理機１は走行車輪を備えていないので、エンジン４のスタートと同時に主クラッチレバー１６を入り操作すると、耕耘爪（ロータリ爪）９ａが回転して機体が圃場の地表面を勝手に移動し、前記耕耘爪（ロータリ爪）９ａによる耕起作業ができなくなる。
したがって、オペレータは、前記左右のハンドル１５Ｌ，１５Ｒを下方に強く押しつけることにより前記ヒッチ１１に装着した抵抗棒１２を土中に挿入し、該抵抗棒１２にある程度抵抗を与えることで、耕起作業時の機体姿勢の安定を図っている。
尚、前記抵抗棒１２の土中への挿入深さの調節は、該抵抗棒１２の基部に穿孔した複数の深さ調節穴（不図示）の中から所望の調節穴を選択し、該調節穴と前記ヒッチ１１のボス１１ａに設けた装着穴（不図示）にクレビスピン１９を挿通することによって簡単に行うことができる。
【００１３】
また、前記機体フレーム２の前部には、機体の運搬やトラック等への積載作業時の運搬用把手を兼ねるバンパー２０を設けている。
【００１４】
次に、前記円盤状側板１０Ｌ，１０Ｒの構成について、左側円盤状側板１０Ｌを例に説明する。
図３に示すように、円盤状側板１０Ｌは、円盤状プレート２１と、該円盤状プレート２１の中心に溶接したボス２２からなり、該ボス２２に穿孔したピン穴２２ａ，２２ａと、耕耘ロータ９の耕耘軸８に設けらているピン穴（不図示）とを一致させるように耕耘軸８の軸端（左端）にボス２２を嵌入した後、前記一方のピン穴２２ａからクレビスピン（不図示）を挿通すると共に、該クレビスピンの先端に抜け止め用のスナップピン（不図示）をセットすることによって、前記円盤状側板１０Ｌは耕耘軸８の軸端（左端）に取付けられるようになっている。
【００１５】
そして、前記円盤状プレート２１の外面には、その中心側から外周に向けて略放射状に徐々に突出する山形状突起Ｐを所定の間隔（本実施例では円周上３等配）を置いて形成してある。
また、前記山形状突起Ｐは、円盤状側板１０Ｌの回転方向上手側と回転方向下手側で非対称な断面形状になっており、更に詳しくは、前記円盤状側板１０Ｌ外面の回転方向上手側を略直角に突出させて短片２１ａを形成する一方、該短片２１ａ先端から回転方向下手側をなだらかな傾斜を有する長片２１ｂに形成してある。
尚、前記左右の円盤状側板１０Ｌ，１０Ｒは、互いに取り外して左右勝手違いで簡単に組替えできると共に、組替え前後の円盤状側板１０Ｌ，１０Ｒの山形状突起Ｐは、互いに同期した状態で取付けられるように構成してある。
【００１６】
上述したように、左右の円盤状側板１０Ｌ，１０Ｒの山形状突起Ｐを回転方向上手側と回転方向下手側で異なる非対称な断面形状に形成すると共に、当該円盤状側板１０Ｌ，１０Ｒを互いに取り外して左右勝手違いで簡単に組替えできるように構成したことによって、耕起作業を行う対象土壌が硬い場合は、図４（Ａ）に示すように円盤状側板１０Ｌ，１０Ｒの山形状突起Ｐを構成するなだらかな傾斜の長片２１ｂを、当該円盤状側板１０Ｌ，１０Ｒの回転方向下手側となるように耕耘軸８に取付けると、前記なだらかな傾斜の長片２１ｂが楔作用により耕土中に食い込んで推進力が発揮され、それによって耕耘ロータ９の浮き上がりを抑制でき、オペレータは必要以上に運転ハンドルを押さえつけながらの作業を行わなくて済むので作業負荷を軽減できる。
【００１７】
一方、耕起作業を行う対象土壌が軟らかい場合は、図４（Ｂ）に示すように円盤状側板１０Ｌ，１０Ｒの山形状突起Ｐを構成する略直角に突出した短片２１ａを、当該円盤状側板１０Ｌ，１０Ｒの回転方向下手側となるように耕耘軸８に取付けることによって、前記略直角に突出した短片２１ａが耕土中に食い込む時の反力は機体を浮かせる方向に作用し、それにより前記耕耘ロータ９が耕土中に沈みがちになることが抑制されるので、オペレータが運転ハンドルを持ち上げ気味に操作して耕耘抵抗を低下させる必要がなくなって作業負荷を軽減できる。
【００１８】
尚、前記左右の円盤状側板１０Ｌ，１０Ｒの回転方向上手側と回転方向下手側で異なる非対称な断面形状に形成した山形状突起Ｐは、その形状が単純なことから所定の間隔を置いて複数形成することが容易であり、前記山形状突起Ｐを複数形成することによって、上述した山形状突起Ｐの作用効果をより顕現させることができるので、前記歩行型管理機１で耕起作業を行う対象土壌が軟らかい場合から硬い場合まで幅広く適応して安定した耕起作業が行えるようになると共に、オペレータの作業負荷をより軽減させることができる。
【００１９】
【発明の効果】
以上説明したように本発明は、耕耘軸に取付けた複数の耕耘爪と耕耘軸の左右両端に設けた円盤状側板により圃場を耕起する歩行型管理機において、前記円盤状側板の中心側から外周に向けて、該円盤状側板の回転方向上手側と回転方向下手側で断面形状の異なる突起を形成すると共に、耕起作業を行う対象土壌の硬軟に応じて、前記左右の円盤状側板を互いに組替え可能に構成したことによって、耕起作業を行う対象土壌が軟らかい場合から硬い場合まで幅広く適応して安定した耕起作業が行えると共に、機体の浮き沈みをオペレータが運転ハンドルを操作して調整する必要がなくなり、オペレータの作業負荷をより軽減させることができる。
【００２０】
また、円盤状側板の回転方向上手側と回転方向下手側で非対称な山形状突起を所定の間隔を置いて形成したので、該山形状突起は、その形状が単純なことから所定の間隔を置いて複数形成することが容易であり、しかも山形状突起を複数形成することによって、上述した山形状突起の作用効果をより顕現させることができ、それにより耕起作業を行う対象土壌が軟らかい場合から硬い場合まで幅広く適応して安定した耕起作業が行えるようになると共に、オペレータの作業負荷をより軽減させることができる。
【図面の簡単な説明】
【図１】歩行型管理機の斜視図である。
【図２】同上側面図である。
【図３】円盤状側板の構成を示す側面及び平面図である。
【図４】（Ａ）：円盤状側板の取付け状態を示す平面図である。
（Ｂ）：円盤状側板の第二の取付け状態を示す平面図である。
【符号の説明】
１　　歩行型管理機
８　　　耕耘軸
９ａ　　耕耘爪
１０Ｌ　円盤状側板
１０Ｒ　円盤状側板
【図１】
2004073095.tif 000003
【図２】
2004073095.tif 000004
【図３】
2004073095.tif 000005
【図４】
2004073095.tif 000006